(57)【要約】      （修正有）【課題】  蓋体に対する秀れたダンパー機能を有するうえにコストアップの問題も無い画期的で実用性に秀れた開閉蓋付き収容器を提供する。【解決手段】  開閉蓋付き収容器において、収容体２の底部２ａの裏面側にして操作体５と対向する位置に設けた取付面７とこの操作体５との間に緩衝バネ体８を配設し、この緩衝バネ体は、前記操作体をこの操作体の一端を下方に押動することで蓋体３を起立回動して上部開口部１を開口する連動機構６を介して蓋体を起立回動する揺動方向に付勢するように構成して前記蓋体が倒伏回動する際にこの蓋体に前記緩衝バネ体によって回動抵抗が付与されるように構成すると共に、この緩衝バネ体による回動抵抗は前記蓋体の自重による閉じ方向の回動付勢よりも小さく設定した構成とした開閉蓋付き収容器。【選択図】      図１
2007030889.tif 000002
【特許請求の範囲】
【請求項１】
投入口となる上部開口部を有する有底の収容体に前記上部開口部を閉塞する蓋体を起伏回動自在に設けて前記上部開口部を開閉自在に構成し、前記収容体に接地部を設けて前記収容体の底部と接地面との間に操作体配設間隙部を形成し、この操作体配設間隙部に上下方向に揺動自在に枢着配設する操作体と、この操作体の一端を下方に押動することで蓋体を起立回動して前記上部開口部を開口する連動機構とから成る開閉操作手段を備えた開閉蓋付き収容器において、収容体の底部の裏面側にして操作体と対向する位置に設けた取付面とこの操作体との間に緩衝バネ体を配設し、この緩衝バネ体は、前記操作体を前記連動機構を介して蓋体を起立回動する揺動方向に付勢するように構成して前記蓋体が倒伏回動する際にこの蓋体に前記緩衝バネ体によって回動抵抗が付与されるように構成すると共に、この緩衝バネ体による回動抵抗は前記蓋体の自重による閉じ方向の回動付勢よりも小さく設定した構成としたことを特徴とする開閉蓋付き収容器。
【請求項２】
前記収容体の底部裏面を前記取付面とし、前記収容体の下部に接地部を設けてこの取付面を接地部に対して浮上状態に設けて前記操作体配設間隙部を形成した構成とし、この取付面に対して間隔をおいて前記操作体を上下方向に揺動自在に設けて、この取付面と、取付面と対向する前記操作体との間に前記緩衝バネ体を配設した構成としたことを特徴とする請求項１記載の開閉蓋付き収容器。
【請求項３】
前記操作体は、前記収容体の底部の裏面側に揺動軸部を架設配設してこの操作体をこの揺動軸部に揺動自在に軸支して設けた構成とし、前記連動機構は一端を操作体と連結し他端を蓋体と連結する連動連結杆を有し、操作体の一端を下方に押動して反対側の一端と連結した前記連動連結杆を押し上げることで蓋体が自重による閉じ方向の回動付勢に抗して起立回動するように前記連動機構を構成し、前記操作体を放して蓋体が自重による閉じ方向の回動付勢により倒伏回動することで前記連動連結杆が押し下げられ操作体が揺動すると共に前記緩衝バネ体の付勢により揺動抵抗が付与されて前記蓋体に回動抵抗が付与されるように構成したことを特徴とする請求項１，２のいずれか１項に記載の開閉蓋付き収容器。
【発明の詳細な説明】
【技術分野】
【０００１】
本発明は、操作体の一端を例えば足で踏み込むなどして下方に押動することで、収容体の上部開口部を閉塞する蓋体を起立回動してこの上部開口部を開口し、この上部開口部から収容体内に収容可能に構成した開閉蓋付き収容器に関するものである。
【背景技術】
【０００２】
例えば開閉蓋付きのゴミ箱など、この種の開閉蓋付き収容器は、一般的に投入口となる上部開口部を有する有底の収容体に前記上部開口部を閉塞する蓋体を一端支点に起伏回動自在に設け、この収容体の下部に接地部を設けてこの収容体の底面と接地面との間に形成される操作体配設間隙部に上下方向に揺動自在に枢着配設した踏み込みペダルなどの操作体の一端を足で踏み込んで下方に押動することで、蓋体が連動機構を介して起立回動して前記上部開口部が開口するように構成している。また、この踏み込んだペダル（操作体）から足を放す、若しくはこの踏み込んだペダル（操作体）を放して蓋体を軽く手で倒し込むことで蓋体が自重によって倒伏回動して上部開口部が閉塞するように構成している。
【０００３】
このような開閉蓋付き収容器は、収容体の上部開口部を蓋体で閉塞する際、即ち、起立状態の蓋体が倒伏回動する際、この蓋体に自重による閉じ方向の回動付勢が付与される為この蓋体が勢い良く収容体に倒れ込み当接し大きな衝撃音を発生してしまい、よって、この蓋体を開閉操作する度に一々大きな騒音（衝撃音）が発生するという問題を有した。
【０００４】
そこで、前記蓋体が閉まる際に、蓋体と収容体とが当接することによって発生する騒音を軽減する為に従来から様々な対策が実施されている。
【０００５】
例えば、蓋体の下部や、収容体の上部開口部の開口縁など、蓋体と収容体とが当接する位置にゴムなどの緩衝部材を設けて双方が当接する際の衝撃を軽減することで、この蓋体を閉める際の騒音を軽減するように構成したものがある。
【０００６】
この緩衝材を設けたタイプの開閉蓋付き収容器は、緩衝材を設けないタイプに比べれば騒音が少ないが、しかしながら、蓋体と収容体とが当接する瞬間にのみゴム（緩衝部材）による緩衝作用を発揮する構成に過ぎず、蓋体が自重による閉じ方向の回動付勢により倒伏回動の勢いを増すことは阻止できず、よって、蓋体が自重による閉じ方向の回動付勢によって勢い良く収容体に倒れ込み当接してしまい、よって、この蓋体と収容体とが当接する際の騒音を効果的に軽減するこができない。
【０００７】
また、例えば、蓋体の起伏回動軸に回動抵抗を付与する油圧式ダンパーなどのトルクダンパーを蓋体の起伏回動軸に備えた構成とした場合には、蓋体を閉める際にゆっくりと蓋体が倒伏回動する為に、蓋体の収容体とが当接する際の衝撃を非常に小さくでき、よって、蓋体を締める際の騒音を効率的に軽減することができる。しかし、蓋体を開ける際にも回動抵抗が付与され蓋体をスムーズに起立回動させることができない為、スムーズな開け閉めが不能となってしまい操作性が悪く、しかも、蓋体の起伏回動軸に油を封入するなどといった極めて複雑な構成のトルクダンパーを備えることで極端にコストアップや量産性を損ねるといった問題が生ずる。
【発明の開示】
【発明が解決しようとする課題】
【０００８】
本発明は、上記の問題点を鑑みて完成した従来に無い画期的な開閉蓋付き収容器であって、緩衝バネ体により極めて効率的に蓋体に回動抵抗を付与することができ、蓋体が倒伏回動する際にこの蓋体に効率的に回動抵抗を付与して蓋体と収容体との当接時の騒音を良好に軽減することができるうえに、この蓋体を起立回動する際には緩衝バネ体による回動抵抗が一切蓋体に付与せず極めてスムーズに蓋体を回動し収容体の上部開口部を開口させることができる秀れたダンパー機能を有し、しかも前記緩衝バネ体は、例えば操作体の揺動軸や、例えば蓋体の起伏回動軸などといった取り付けが面倒な軸部に設けるのではなく、単にこの種の開閉蓋付き収容器に予め備えられたスペース内の所定位置にこの緩衝バネ体を介存状態に配設する極めて簡単な取り付け作業だけで上記の秀れたダンパー機能を達成し得、コストアップや量産性を損ねる問題も一切生ずることのない極めて実用性に秀れた画期的な開閉蓋付き収容器を提供することを課題とする。
【課題を解決するための手段】
【０００９】
添付図面を参照して本発明の要旨を説明する。
【００１０】
投入口となる上部開口部１を有する有底の収容体２に前記上部開口部１を閉塞する蓋体３を起伏回動自在に設けて前記上部開口部１を開閉自在に構成し、前記収容体２に接地部４を設けて前記収容体２の底部２ａと接地面ａとの間に操作体配設間隙部ｓを形成し、この操作体配設間隙部ｓに上下方向に揺動自在に枢着配設する操作体５と、この操作体５の一端を下方に押動することで蓋体３を起立回動して前記上部開口部１を開口する連動機構６とから成る開閉操作手段Ｔを備えた開閉蓋付き収容器において、収容体２の底部２ａの裏面側にして操作体５と対向する位置に設けた取付面７とこの操作体５との間に緩衝バネ体８を配設し、この緩衝バネ体８は、前記操作体５を前記連動機構６を介して蓋体３を起立回動する揺動方向に付勢するように構成して前記蓋体３が倒伏回動する際にこの蓋体３に前記緩衝バネ体８によって回動抵抗が付与されるように構成すると共に、この緩衝バネ体８による回動抵抗は前記蓋体３の自重による閉じ方向の回動付勢よりも小さく設定した構成としたことを特徴とする開閉蓋付き収容器に係るものである。
【００１１】
また、前記収容体２の底部２ａ裏面を前記取付面７とし、前記収容体２の下部に接地部４を設けてこの取付面７ａを接地部ａに対して浮上状態に設けて前記操作体配設間隙部ｓを形成した構成とし、この取付面７に対して間隔をおいて前記操作体５を上下方向に揺動自在に設けて、この取付面７と、取付面７と対向する前記操作体５との間に前記緩衝バネ体８を配設した構成としたことを特徴とする請求項１記載の開閉蓋付き収容器に係るものである。
【００１２】
また、前記操作体５は、前記収容体２の底部２ａの裏面側に揺動軸部11を架設配設してこの操作体５をこの揺動軸部11に揺動自在に軸支して設けた構成とし、前記連動機構６は一端を操作体５と連結し他端を蓋体３と連結する連動連結杆６ａを有し、操作体５の一端を下方に押動して反対側の一端と連結した前記連動連結杆６ａを押し上げることで蓋体３が自重による閉じ方向の回動付勢に抗して起立回動するように前記連動機構６を構成し、前記操作体５を放して蓋体３が自重による閉じ方向の回動付勢により倒伏回動することで前記連動連結杆６ａが押し下げられ操作体５が揺動すると共に前記緩衝バネ体８の付勢により揺動抵抗が付与されて前記蓋体３に回動抵抗が付与されるように構成したことを特徴とする請求項１，２のいずれか１項に記載の開閉蓋付き収容器に係るものである。
【発明の効果】
【００１３】
本発明は上述のように構成したから、収納体の底部の裏面側にして操作体と対向する位置に設けた取付面と、この操作体との間に配設した緩衝バネ体の付勢によって、蓋体を倒伏回動する際にこの蓋体に回動抵抗を付与でき、よって、蓋体を倒伏回動して収容体の上部開口部を閉塞する際にこの蓋体が収容体に倒れ込み当接する際の衝撃を軽減して騒音の発生を確実に、且つ良好に軽減できる。
【００１４】
しかも、操作体の一端を下方に押動し連動機構を介して蓋体を起立回動する際には前記緩衝バネ体による回動抵抗が蓋体に一切付与しないうえに、操作体が緩衝バネ体によって前記蓋体を起立回動させる揺動方向に付勢される為、操作体の一端を下方に押動して前記蓋体を起立回動する操作を極めてスムーズに行える。
【００１５】
また、この緩衝バネ体は、例えば操作体の揺動軸や蓋体の起伏回動軸に巻きつけて取り付けて取り付けるといった面倒な取り付け作業が一切不要で、単に操作体と取付面との間にこの緩衝バネ体を介存配設して固定するだけの極めて簡単で単純な取り付け作業でこの緩衝バネ体を設けることができ、しかも、操作体を配設する為に収容体の底部の裏面側に予め形成されたスペースにこの緩衝バネ体を配設するので、スペースを有効に使用できると共に非常に目立たず体裁も良い。
【００１６】
よって、本発明は、蓋体を開ける操作は非常にスムーズに行うことができ、蓋体を閉める操作は緩衝バネ体の付勢により自動的に蓋体に回動抵抗を付与させてそれだけゆっくりと静かに行うことができる極めて秀れたダンパー機能を有するうえに、この秀れたダンパー機能を発揮する極めて最適な位置に緩衝バネ体を配設するよに構成した為に、上記のような秀れたダンパー機能を有しているにも関らず複雑な構成となったり生産が困難でコストアップといった問題が一切生じ得ず量産性やコスト面においても秀れ、更にもとからあるスペースを有効に使用して緩衝バネ体を配設でき、体裁を損ねることも無いなど、極めて実用性に秀れた画期的で商品価値の高い開閉蓋付き収容器となる。
【発明を実施するための最良の形態】
【００１７】
好適と考える本発明の実施形態（発明をどのように実施するか）を、図面に基づいて本発明の作用を示して簡単に説明する。
【００１８】
投入口となる上部開口部１を有する有底の収容体２に接地部４を設けてこの収容体２の底部２ａと接地面ａとの間に形成した操作体配設間隙部ｓに、開閉操作手段Ｔを構成する操作体５が上下方向に揺動自在に枢着配設されている。
【００１９】
この操作体５の一端を下方に押動すると、前記収容体２に起伏回動自在に設けてこの収容体２の上部開口部１を閉塞する閉塞蓋３が、開閉操作手段Ｔを構成する連動機構６を介して前記操作体５の押動と連動して起立回動することとなり、前記収容体２の上部開口部１が開口する。
【００２０】
ここで、収容体２の底部２ａの裏面側にして操作体５と対向する位置に設けた取付面７と、この操作体５との間には、緩衝バネ体８を配設し、この緩衝バネ体８によって前記操作体５を、前記連動機構６を介して蓋体３を起立回動する揺動方向に付勢するように構成して、前記蓋体３が倒伏回動する際にこの蓋体３に前記緩衝バネ体８によって回動抵抗が付与されるように構成している。
【００２１】
従って、例えば前記操作体５の一端を下方に押動して蓋体３を起立回動して収容体２の上部開口部１を開口した後、この操作体５を放して蓋体３を倒伏回動して収容体２の上部開口部１を閉塞する際には、この蓋体３に前記緩衝バネ体８による回動抵抗が付与される為にそれだけこの蓋体３の倒伏回動がゆっくりとなり、それだけ蓋体３が自重によって加速して勢い良く収容体２に倒れ込み当接することを阻止でき、よって、この蓋体３が収容体２に当接した際の衝撃が良好に軽減されて騒音の発生も良好に軽減されることとなる。
【００２２】
しかも、緩衝バネ体８を、前記操作体５の一端を下方に押動し蓋体３を連動機構６を介して起立回動する際のこの操作体５の揺動方向に操作体５を付勢するように設定している為、蓋体３を倒伏回動する際には上述のように緩衝バネ体８による回動抵抗が付与され蓋体３がそれだけゆっくりと倒伏回動することとなるが、一方、蓋体３が起立回動する際には緩衝バネ体８による回動抵抗が一切付与されないうえに緩衝バネ体８による付勢により操作体５をスムーズに揺動でき蓋体３を起立回動する操作を非常にスムーズに行えることとなる。
【００２３】
また、この緩衝バネ体８による回動抵抗は、前記蓋体３の自重による閉じ方向の回動付勢よりも小さく設定した構成としているので、この緩衝バネ体８は前記蓋体３が起立回動する揺動方向に操作体５を付勢しているものの、この操作体５を操作していない状態（放した状態）で前記緩衝バネ体８の付勢により勝手に操作体５が蓋体３を起立回動する揺動方向に動いて蓋体３が勝手に起立回動してしまうといった心配は無い。
【００２４】
また、前記緩衝バネ体８は、例えば蓋体３の起伏回動軸や、操作体５の揺動軸などの軸部に設けるのでなく、操作体５と、この操作体５と対向する位置に設けた取付面７との間に配設する構成としたので、単にこの操作体５と取付面７との間に、コイルバネなどの一般的な構成の緩衝バネ体８を介存配設して固定するだけ極めて簡単にこの緩衝バネ体８を取り付けることができ、極めて生産性に秀れた構成となる（即ち、例えばバネを軸部に設ける場合にはこの軸にバネを巻き付け配設するなど非常に面倒で厄介な取り付け作業が必要となるが、本発明においてはこのような厄介な取り付け作業は必要が無く、単に緩衝バネ体８を操作体５と取付面７との間に介存配設するだけである。）。
【００２５】
また、揺動自在な操作体５の所定の部位を緩衝バネ体８で付勢するので、例えばこの操作体５の揺動軸から離れた位置に緩衝バネ体８を設けるなどして梃子の作用により効率的に緩衝バネ体８による付勢を付与し得る構成で、この点においても秀れた構成となる。
【００２６】
また、この緩衝バネ体８は収容体２の底部２ａの裏面側に配設するので、目立たず、外観を損ねる心配も一切無く、また、操作体５を配設する為に収容体２の底部２ａと接地面ａとの間に形成された既存の操作体配設間隙部ｓ内に緩衝バネ体８を配設するので、この緩衝バネ体８を配設する為の別段のスペースを設ける必要も一切無く既存のスペースを有効に利用できるから、収容器自体の外観を損ねたり大型化といった問題も生じ得ず見た目の体裁も良い。
【００２７】
よって、本発明は、蓋体３を開ける操作は非常にスムーズに行うことができ、蓋体３を閉める操作は緩衝バネ体８の付勢により自動的に蓋体に回動抵抗を付与させて騒音を軽減し静かに行うことができる極めて秀れたダンパー機能を有し、しかもこのような秀れたダンパー機能を、単に緩衝バネ体８を配設するだけで達成し得ることとなる極めて最適な位置に緩衝バネ体８を配設する構成としたから、上記のような秀れたダンパー機能を備えた構成であるにも関らず、複雑な構成となったり生産コストアップの心配が一切無く量産性やコスト面においても秀れ、更に、緩衝バネ体８を設けたことで外観を損ねたり大型化といった問題が生ずることも一切無く、秀れた実用価値を有する開閉蓋付き収容器となる。
【００２８】
また、例えば、前記収容体２の底部２ａ裏面を前記取付面７とし、前記収容体２の下部に接地部４を設けてこの取付面７ａを接地部ａに対して浮上状態に設けて前記操作部配設間隙部ｓを形成した構成とし、この取付面７に対して間隔をおいて前記操作体５を上下方向に揺動自在に設けて、この取付面７と、取付面７と対向する前記操作体５との間に前記緩衝バネ体８を配設した構成とした場合には、前記収容体２の底部２ａの裏面側にして前記操作体５と対向する所定位置に前記取付面７を形成する必要が無く、操作体５と対向する収容体２の底面２ａ裏面を取付面７として使用する構成の為、一層簡易構成にして生産が容易となる。
【００２９】
また、例えば、前記操作体５は、前記収容体２の底部２ａの裏面側に揺動軸部11を架設配設してこの操作体５をこの揺動軸部11に揺動自在に軸支して設けた構成とし、前記連動機構６は一端を操作体５と連結し他端を蓋体３と連結する連動連結杆６ａを有し、操作体５の一端を下方に押動して反対側の一端と連結した前記連動連結杆６ａを押し上げることで蓋体３が自重による閉じ方向の回動付勢に抗して起立回動するように前記連動機構６を構成し、前記操作体５を放して蓋体３が自重による閉じ方向の回動付勢により倒伏回動することで前記連動連結杆６ａが押し下げられ操作体５が揺動すると共に前記緩衝バネ体８の付勢により揺動抵抗が付与されて前記蓋体３に回動抵抗が付与されるように構成した場合には、操作体５を前記揺動軸部11を揺動軸に良好に上下方向に揺動自在に配設できることとなる。また、この操作体５の一端を下方に押動操作することで前記連動連結杆６ａを介して確実に前記蓋体３を起立回動させることができ、また、この蓋体３が自重による閉じ方向の回動付勢により倒伏回動する際には、前記緩衝バネ体８の付勢が、前記操作体５及び連動機構６の連動連結杆６ａを介して確実に前記蓋体３に回動付勢として付与されることとなり確実に本発明の秀れたダンパー機能を発揮し得る構成となる。
【実施例】
【００３０】
本発明の具体的な実施例について図面に基づいて説明する。
【００３１】
本実施例は、図１に図示したように、投入口となる上部開口部１を有する有底の収容体２に前記上部開口部１を閉塞する蓋体３を起伏回動自在に設けて前記上部開口部１を開閉自在に構成し、前記収容体２に接地部４を設けて前記収容体２の底部２ａと接地面ａとの間に操作体配設間隙部ｓを形成し、この操作体配設間隙部ｓに上下方向に揺動自在に枢着配設する操作体５と、この操作体５の一端を下方に押動することで蓋体３を起立回動して前記上部開口部１を開口する連動機構６とから成る開閉操作手段Ｔを備えた開閉蓋付き収容器において、収容体２の底部２ａの裏面側にして操作体５と対向する位置に設けた取付面７とこの操作体５との間に緩衝バネ体８を配設し、この緩衝バネ体８は、前記操作体５を前記連動機構６を介して蓋体３を起立回動する揺動方向に付勢するように構成して前記蓋体３が倒伏回動する際にこの蓋体３に前記緩衝バネ体８によって回動抵抗が付与されるように構成すると共に、この緩衝バネ体８による回動抵抗は前記蓋体３の自重による閉じ方向の回動付勢よりも小さく設定した構成としたものである。
【００３２】
収容体２は、図１に図示したように、金属製部材で形成した有底円筒状の構成であり、この収容体２の収容下部をこの収容体２の底部２ａとし、この収容体２の下部に接地部４を設けて収容体２の底部２ａ裏面を接地面ａに対して浮上状態に設けて前記操作体配設間隙部ｓを形成している。
【００３３】
この収容体２の下部の接地部４は、図２に図示したように、収容体２の径と略等しい径を有し、金属製部材で形成した無底円筒状の接地部４を溶接によって垂設連設した構成である。
【００３４】
また、この収容体２の上部開口部１の開口縁にはゴム製の緩衝部材９を覆設しており、また、この収容体２に垂設した接地部４の下縁にも緩衝部材９を覆設している。
【００３５】
従って、この収容体２に蓋体３が倒れ込み当接した際の衝撃を前記緩衝部材９によって吸収してこの収容体２に蓋体３が倒れ込み当接した際の騒音（衝撃音）をそれだけ軽減している。
【００３６】
尚、この収容体２及び接地部４の形状は本実施例のものに限らず、例えば、収容体２の下部に、接地部４として複数の脚を垂設した構成や、例えば、収容体２の下部に有底筒状の接地部４を設けてこの収容体２の底部２ａと接地部４の底部との間に前記操作体配設間隙部ｓを形成する構成としても良い。
【００３７】
操作体５は、図２に図示したように、収容体２の底部２ａ裏面に所定の間隔をおいて上下方向に揺動自在に設けている。具体的には、前記収容体２の底部２ａの裏面側に揺動軸部11を架設配設してこの操作体５をこの揺動軸部11に揺動自在に軸支して設けた構成である。
【００３８】
この揺動軸部11は、図２に図示したように、収容体２の下部に垂設した円筒状の接地部４の所定高さ位置の対向内面に支持体10の両端部を夫々溶接接合して架設状態に支持体10を設け、この支持体10の略中央下部に揺動軸部11を配設してこの揺動軸部11を収容体２の底部２ａ裏面から間隔をおいて架設状態に設けた構成で、この揺動軸部11に操作体５を揺動自在に軸支して前記操作体５を上下方向に揺動自在に配設する構成である。
【００３９】
また、この揺動軸部11は、具体的には図２に図示したように、前記支持体10の略中央下部に、下方に向けて開口状態にコ字状アングル11ａを溶接し、このコ字状アングル11ａの下部両端に架設状態に支持軸杆11ｂを枢設し、この支持軸杆11ｂに操作体５の略中央部を枢着する構成である。
【００４０】
また、この操作体５は、接地部４の側面に設けた窓孔４ａから操作体５の両端部が夫々外方へと突出するように構成している。
【００４１】
この操作体５は金属製部材で構成しており、図２に図示したように、断面視形状がコ字状で上面に平坦面を有する棒状の形状で、この操作体５の一端（図１中、左方端部）の上面には踏み込みペダル５ａが沿設状態に設けており、この踏み込みペダル５ａと反対側の一端（図１中、右方端部）には、後述の連動機構６の連動連結杆６ａの一端を連結している。
【００４２】
従って、この操作体５の踏み込みペダル５ａを足で踏み込んで操作体５の一端を下方に押動操作することで操作体５が揺動軸部11を軸に回動し、この操作体５の踏み込みペダル５ａと反対側の一端が上方に押動する構成である。
【００４３】
この操作体５の揺動に連動して蓋体３を起伏回動する連動機構６は、図１及び図２に図示したように、前記収容体２の側面に沿って上下方向に配設されて下端を操作体５と連結し上端を前記蓋体３と連結する連動連結杆６ａを有する構成である。
【００４４】
この連動連結杆６ａの下端は、前記操作体５の踏み込みペダル５ａと反対側の一端と枢着連結している。具体的には、図２に図示したように、この連結用杆体６ａの下端をＬ字形に形成して前記操作体５の踏み込みペダル５ａと反対側の一端と回動自在に枢着連結し、また、図４に図示したように、この連結用杆体６ａの上端側は前記収容体２に向けてやや折曲した形状とすると共に上端をＬ字形に形成し、この連結用杆体６の上端を後述の蓋体３の起伏回動軸13の近傍位置にしてこの起伏回動軸13よりやや内側（収容体２側）位置で蓋体３と回動自在に枢着連結した構成である。
【００４５】
蓋体３は、金属製部材で構成しており、天部が閉塞した円筒状の蓋本体３ａの一端を、起伏回動軸部13と連結して、この円筒状の蓋本体３ａを前記起伏回動軸部13を介して収容体２に対して起伏回動自在に設けた構成である。
【００４６】
また、この蓋体３の蓋本体３ａの径を前記収容体２と略同様に構成し、この蓋本体３ａを収容体２の上部開口部１の開口縁、即ちこの収容体２の上端縁に覆設した緩衝部材９上に載置状態にこの上部開口部１を閉塞する構成である。
【００４７】
この蓋体３の蓋本体３ａを収容体２に対して起伏回動自在に枢着する起伏回動軸部13は、具体的には、図４に図示したように、この蓋本体３ａの側端面から外方へ突出する突出部14の突出端側と、収容体２の上部側端面から外方へ突出する突出部15の突出端側とを合わせて軸杆13ａを回動自在に連通配設して、この蓋本体３ａの突出部14と収容体２の突出部15とを枢着自在に連結することでこの蓋本体３ａを収容体２に起伏回動自在に設ける構成である。
【００４８】
また、図４に図示したように、この蓋体３の蓋本体３ａの側端面と、起伏回動軸部13の軸杆13との中間位置において、前記連動機構６の連動連結杆６ａのＬ字形の上端を枢着し得るように、この蓋体３の蓋本体３ａの側端面から側方へ突出状態に連動用枢着部16を突設しており、この連動用枢着部16を介して蓋体３の蓋本体３ａと連動機構６の連動連結杆６ａとを回動自在に枢着連結した構成としている。
【００４９】
従って、図１に図示したように、操作体５の一端に設けた踏み込みペダル５ａを踏み込んでこの操作体５の一端を下方に押動すると、この操作体５の踏み込みペダル５ａと反対側の一端は上方に押動され、この上方に押動した操作体５の一端と枢着連結された連動連結杆６ａも上方に押動され、蓋体３の蓋本体３ａと起伏回動軸部13との中間部位置をこの連動連結杆６ａにより上方に押動されるから、この蓋体３の蓋本体３ａは前記起伏回動軸部13を軸にして起立回動する。
【００５０】
尚、このようにして操作体５の踏み込みペダル５ａを踏み込んで蓋体３を起立回動した際に、この蓋体３は、図１に図示したように鉛直方向よりやや収容体２に向けて傾いた角度までしか起立回動しないように構成している。
【００５１】
従って、図１の状態で前記操作体５の踏み込みペダル５ａから足を放すと、この蓋体３自体の自重によってこの蓋体３が自動的に倒伏回動を開始し、更に、この蓋体３の倒伏回動に応じて、この蓋体３の連動用枢着部16と枢着連結した連動機構６の連動連結杆６ａが下方に押動されて前記操作体５の踏み込みぺダル５ａと反対側の一端がこの連結用杆体６ａを介して蓋体３の倒伏回動に連動して下方に押動され、この操作体５が前記緩衝バネ体８による付勢に抗して揺動軸部11を軸に回動する。
【００５２】
尚、このようにして操作体５の踏み込みペダル５ａから足を放して蓋体３を倒伏回動し、収容体２の上部開口部１を蓋体３によって閉塞した際には、図２に図示したように、前記操作体５は略水平方向に保持されるように構成している。
【００５３】
また、このようにして操作体５の踏み込みペダル５ａから足を放すことで蓋体３が自重によって自動的に倒伏回動を始め得るように前記緩衝バネ体８の付勢圧（バネ圧）を設定している（即ち、緩衝バネ体８は前記蓋体３が起立回動する揺動方向に操作体５を付勢するように構成している為、この緩衝バネ体８の付勢圧が強すぎると前記操作体５の踏み込みペダル５ａから足を放しても蓋体３が自動的に倒伏回動し得なくなってしまう。）。
【００５４】
尚、前記操作体５の踏み込みペダル５ａを踏み込んだ際に蓋体３が鉛直方向、若しくはそれ以上に（収容体２と反対方向に傾くまで）起立回動するように構成して踏み込みペダル５ａから足を放しても蓋体３が自動的に倒伏回動を始めないように構成しても良く、この場合は、蓋体３を収容体２に向けて倒伏回動させたい場合には手で少し蓋体３を倒れ込ませ、その後は自重によって蓋体３が倒伏回動するように構成すれば良い。
【００５５】
また、この上下方向に揺動自在な操作体５と、この操作体５の揺動に連動して蓋体３を起伏回動する連動機構６とから成る開閉操作手段Ｔは、本実施例のものに限らず、上下方向に揺動自在な操作体５及び連動機構６から成るこの種の開閉蓋付き収容器においてごく一般的な開閉操作手段Ｔの構成を採用すれば良い。
【００５６】
緩衝バネ体８は、図１に図示したように、一般的なコイルバネを採用している。
【００５７】
また、図１に図示したように、前記収容体２の底部２ａ裏面を前記取付面７とし、この取付面７と対向する前記操作体５との間にこの緩衝バネ体８を配設して、この緩衝バネ体８の一端部を取付面７に、他端部を操作体５の上面に固定した構成である。尚、この緩衝バネ体８は本実施例においては接着固定している。即ち、単に一般的なコイルバネを接着固定するだけの非常に簡易で量産が容易な構成としている。
【００５８】
この緩衝バネ体８の配設位置は、具体的には、図２に図示したように、操作体５の上面にして、少なくともこの操作体５の一端と揺動軸部11との丁度中間位置よりも一端寄りとなる位置に緩衝バネ体８を配設している。
【００５９】
従って、操作体５に対して、揺動軸部11から離れた一端寄りの位置に緩衝バネ体８を設けたことで、梃子の作用によりこの緩衝バネ体８により操作体５を効率的に付勢することができ、前記蓋体３が倒伏回動する際にこの緩衝バネ体８によって効率的に回動抵抗を付与させられる。
【００６０】
また、本実施例ではこの緩衝バネ体８を、操作体５の踏み込みペダル５ａを設けた側の一端寄り位置に配設しているので、この緩衝バネ体８はこの操作体５の上面と前記取付面７（収容体２の底部２ａ裏面）とを離間する方向（緩衝バネ体８が伸びる方向）に付勢力を発揮するように設定している。尚、この緩衝バネ体８を操作体５の踏み込みペダル５ａと反対側の一端寄り位置に配設した場合には、この緩衝バネ体８は前記操作体５の上面と取付面７（収容体２の底部２ａ裏面）とを近接する方向（緩衝バネ対８が縮む方向）に負勢力を発揮するように設定すれば良い。また、収容体２の下部に垂設した接地部４の下部側にして操作体５よりも下方位置に取付面７を形成して、この取付面７と、これと対向する操作体５の下面との間に緩衝バネ体８を配設する構成としても良い。
【００６１】
本実施例は、上述のように構成したから、操作体５の踏み込みペダル５ａを足で踏み込むことで、図１に図示したように、連動機構６を介して蓋体３を起立回動し収容体２の上部開口部１を開口できるだけでなく、操作体５は、蓋体３を起立回動する揺動方向に緩衝バネ体８によって付勢されている為、非常にスムーズにこの踏み込みペダル５ａを踏み込んで蓋体３を起立回動する作業が行えることとなる。
【００６２】
また、この操作体５の踏み込みペダル５ａから足を放すと蓋体３を自重によって自動的に倒伏回動して収容体２の上部開口部１をこの蓋体３により閉塞できるうえに、このように蓋体３が自重によって倒伏回動する際には前記緩衝バネ体８によってこの蓋体３に回動抵抗を効率的に付与できるから、自重によって勢いを増して蓋体３が勢い良く収容体２に倒れ込み当接して大きな衝撃音（騒音）を発生するといったことがなく、この蓋体３の倒伏回動が回動抵抗により勢いを相殺される分だけ、この蓋体３がゆっくりと静かに収容体２に当接しこの収容体２の上部開口部１を閉塞することができる。
【００６３】
また、このような秀れたダンパー機能を発揮することとなる緩衝バネ体８は、例えば蓋体３の起伏回動軸や、例えば操作体５の揺動軸などの軸部に設けるのでなく、操作体５と、この操作体５と対向する位置に設けた取付面７との間に配設する構成としたので、単にこの操作体５と取付面７との間に、コイルバネというごく一般的な構成の緩衝バネ体８を接着などで取付固定するだけの極めて簡易な構成で上記の秀れたダンパー機能を発揮でき、操作体５の揺動軸から離れた位置に緩衝バネ体８を設けられる為、梃子の作用によってそれだけ効率良くこの緩衝バネ体８の付勢により蓋体３に回動抵抗を付与できることとなる。
【００６４】
また、この緩衝バネ体８は収容体２の底部２ａの裏面側に配設するので、目立たず、外観を損ねる心配も一切無く、また、操作体５を配設する為に収容体２の底部２ａと接地面ａとの間に形成された、この種の開閉蓋付き収容器にもとから備えられているスペースに緩衝バネ体８を配設するだけで良いので、もとからあるスペースを有効に利用でき本実施例品自体の外観を損ねたり大型化といった問題も一切生じ得ない。
【００６５】
よって、本実施例は、蓋体３を開ける操作は非常にスムーズに行うことができ、蓋体３を閉める操作は緩衝バネ体８の付勢により自動的に蓋体に回動抵抗を付与させて騒音を軽減し静かに行うことができる極めて秀れたダンパー機能を有し、しかもこのような秀れたダンパー機能を、単に緩衝バネ体８を配設するだけで達成し得ることとなる極めて最適な位置に緩衝バネ体８を配設する構成としたから、上記のような秀れたダンパー機能を備えた構成であるにも関らず、複雑な構成となったり生産コストアップの心配が一切無く量産性やコスト面においても秀れ、更に、緩衝バネ体８を設けたことで外観を損ねたり大型化といった問題が生ずることも無く見た目の体裁も良いなど、極めて画期的で実用性に秀れた商品価値の高い開閉蓋付き収容器となる。
【００６６】
尚、本発明は、本実施例に限られるものではなく、各構成要件の具体的構成は適宜設計し得るものである。
【図面の簡単な説明】
【００６７】
【図１】本実施例に係る開閉蓋付き収容器の使用状態を示す説明断面図である。
【図２】本実施例に係る開閉蓋付き収容器の説明斜視図である。
【図３】本実施例に係る開閉蓋付き収容器の開閉操作手段ｓを示す説明正面図である。
【図４】本実施例に係る開閉蓋付き収容器の連動機構６の要部を示す説明正面断面図である。
【符号の説明】
【００６８】
１  上部開口部
２  収容体
２ａ  底部
３  蓋体
４  接地部
５  操作体
６  連動機構
６ａ  連動連結杆
７  取付面
８  緩衝バネ体
11  揺動軸部
Ｔ  開閉操作手段
ａ  接地面
ｓ  操作体配設間隙部
【図１】
2007030889.tif 000003
【図２】
2007030889.tif 000004
【図３】
2007030889.tif 000005
【図４】
2007030889.tif 000006